(57)【特許請求の範囲】
【請求項１】
紐靴の紐通し長穴に挿通させて甲被部を緊締する靴紐緊締ストラップであって、
前記靴紐緊締ストラップは、柔軟な板状部材で形成されると共に、紐靴の甲被部の内端縁部に沿って列設される各段左右一対の紐通し長穴に挿通可とする長さ寸法と幅寸法を有するストラップ本体の一端には、幅寸法を強制的に挿通可とする外方向に延設する係合部に係合突起を設けると共に、該他端には、前記紐靴の紐通し長穴に挿通不可とする幅寸法を有する紐穴ストッパー部を形成し、前記ストラップ本体の長手方向には前記係合突起が嵌め込まれる係合穴を直線状に複数穿設し、該ストラップ本体の両端が上向き且つ、内向きになるように湾曲した形状記憶状態に成形して成り、
前記紐靴の各段左右一対の紐通し長穴に前記ストラップ本体の一端に設けられた前記係合部を強制的に挿通させて前記紐穴ストッパー部で挿通不可として穴止めした状態で、前記ストラップ本体を折り返して前記係合突起を前記係合穴に掛け渡して係合固定ならびに係合解除することによって、前記紐靴の甲被部をワンタッチで緊締ならびに開放することができることを特徴とする靴紐緊締ストラップ。
【請求項２】
前記ストラップ本体の他端に形成される紐穴ストッパー部に替わって、紐靴の紐通し長穴に強制的に挿通可とする係合突起を設けた前記係合部を外方向に延設して形成したことを特徴とする請求項１記載の靴紐緊締ストラップ。
【請求項３】
前記ストラップ本体の前記係合突起が突出する方向と反対側の面に長手方向に対して直交する切り欠き線を複数設けたこと特徴とする請求項１または請求項２記載の靴紐緊締ストラップ。
【請求項４】
前記係合突起を設けた係合部に前記ストラップ本体の幅方向の端面を両側から抱え込んで係止するオーバーハングフック部を設けたことを特徴とする請求項１〜請求項３の何れか記載の靴紐緊締ストラップ。
【請求項５】
前記ストラップ本体の幅寸法と、前記係合部の幅寸法と、前記紐穴ストッパー部の幅寸法と、が、紐靴の紐通し丸穴の穴寸法に合わせて幅狭に形成したことを特徴とする請求項１〜請求項４の何れか記載の靴紐緊締ストラップ。
【請求項６】
紐靴の甲被部の内端縁部に沿って列設される各段左右一対の紐通し長穴に前記請求項１〜請求項４の何れか記載の靴紐緊締ストラップを備えたことを特徴とする紐靴。
【請求項７】
紐靴の甲被部の内端縁部に沿って列設される各段左右一対の紐通し丸穴に前記請求項５記載の靴紐緊締ストラップを備えたことを特徴とする紐靴。
【発明の詳細な説明】
【技術分野】
【０００１】
本発明は、紐靴の甲被部をワンタッチで緊締ならびに開放することができる靴紐緊締ストラップとそれを備えた紐靴に関する。
【背景技術】
【０００２】
従来より、スポーツシューズを始めとする紐靴においては、紐靴の甲被部の内端縁部に沿って設けられた紐通し穴に一本の靴紐を通して足先から順次締め上げて緊締する方法が用いられてきた。しかしながらその一本の靴紐で足先から順次締め上げていく方法は、足の形状に合わせて特定の紐通し穴を限定して締め付けることができない上、使用中に緩んだり、靴紐の先端が汚れたり、靴紐を結ぶ作業が煩わしかったりするものであった。
【０００３】
そのような問題を解決しようと靴紐に装着される締め付け固定具や巻上げ冶具などが開発されてきたが、それらの多くは装置自体が嵩張ったり、複雑な構造であったり、操作性が煩わしかったりするなどの問題点があるものであった。
【０００４】
従来より上記の緊締手段における問題点を解決しようとする提案がなされている。例えば、紐芯の外周にその長手方向に連続するようにネット状の覆いを密着させた状態で形成し、該紐芯の外周に覆いによる凹凸面を形成したことを特徴とする「紐及び靴紐」(特許文献１参照)が提案され、公知技術となっている。
【０００５】
しかしながら、係る「紐及び靴紐」の提案は、紐の全外周にわたり連続する継続的な滑り止め機能を有し、製造も容易で汎用性があると共に美観性の優れるとされる提案であるが、従来から行われてきた紐を結ぶ行為自体が改善されていないことから、靴紐を結ぶ煩わしさの改善ならびに結束時の途中において靴紐の緩みが発生する問題点を改善することができる提案ではなかった。
【０００６】
また、一端に貫通孔が形成され、弾性を有する線状の本体と、該本体の他端に取り付けられ前記貫通孔に係合可能に構成された係止部とを備えたことを特徴とする「線状体および靴」(特許文献２参照)が提案され、公知技術となっている。
【０００７】
しかしながら、係る「線状体および靴」の提案は、靴に弾性を有する線状体を取り付けることによって装着した状態で靴を簡単に履脱することができたり、締め付けが緩みにくい靴を提供することができるとされる提案であるが、緊締力が線状体の伸縮力に依存するため、使用する人が望む靴紐を最適の状態で緊締した時のフィット感や緊締状態を常時維持する機能を備える提案ではなかった。
【０００８】
また、靴に取り付ける靴紐であって、前記靴の甲部に設けたスリットの両側に配列した複数の紐通穴のうち、前後方向の各段における左右一対の紐通穴の間のみに掛け渡して取り付ける長さ寸法を有し、両端それぞれに設けられて前記紐通穴に固定される固定部と、前記固定部の間に設けた連結部とを備えた伸縮変形可能な一本の紐部材からなり、前記固定部は自然長の状態で径寸法の異なる大径部と小径部とで段差が形成されていると共に、自然長から引き伸ばされた状態で前記大径部が小径化して前記段差が平坦化するように構成されており、前記一対の紐通穴それぞれに前記各固定部の前記段差を係合させることで、前記連結部が前記一対の紐通穴の間に掛け渡されるように構成したことを特徴とする「靴紐とそれを備えた靴」(特許文献３参照)が提案され、公知技術となっている。
【０００９】
しかしながら、係る「靴紐とそれを備えた靴」の提案は、靴への取り付け及び甲の締め付け具合が非常に簡単に行えて、靴の脱ぎ履きや甲の締め付け具合の加減が良くかつ靴の外観デザインの自由度を効果的に高めるとされる提案であるが、固定部の先端が常に外方向に突出しているため、見た目が悪い上、その先端によって自分自身の身体や相手にケガを負わせる可能性があるもので安全性に問題があるものであった。
【００１０】
また、紐靴に取り付ける靴紐であって、前記紐靴における左右甲被羽根部に配設した複数の靴紐通し穴の各段左右一対の靴紐通し穴に挿通し、掛け回し環状に取り付けられる十分な長さを有し、その両端にかけて等間隔に設けられた係合部を有した靴紐本体と、その一端に連結された前記紐靴に前記靴紐を取り付ける際には、各段左右一対の前記靴紐通し穴に前記靴紐本体を挿通し、掛け回して環状にし、前記係合部を前記係合体に係合固定することで、前記靴紐を前記紐靴に取り付けられることを可能にしたことを特徴とする「靴紐とそれを備えた紐靴」(特許文献４参照)が提案され、公知技術となっている。
【００１１】
しかしながら、係る「靴紐とそれを備えた紐靴」の提案は、結束体自体が大きく、操作性や構造が複雑である上、靴紐の先端が収まる先を常に監視していなければならないなどの煩わしさを有する問題があった。
【００１２】
本出願人は、上記のような紐靴の緊締手段に多様な問題点あることに着目し、紐靴の締付け手段として軽量且つ安価であると共に、操作性が簡便で安全性を有する靴紐ならびに紐靴の提供ができないものかという着想の下、紐靴の甲被部をワンタッチで緊締ならびに開放することができる緊締ストラップとそれを備えた紐靴を開発し、本発明における「靴紐緊締ストラップとそれを備えた紐靴」の提案に至るものである。
【先行技術文献】
【特許文献】
【００１３】
【特許文献１】実用新案登録第３１３０１６２号公報
【特許文献２】特開２０１４−１１７４１５公報
【特許文献３】実用新案登録第３１６０５７３号公報
【特許文献４】特開２０１３−４６７４２号公報
【発明の概要】
【発明が解決しようとする課題】
【００１４】
本発明は上記問題点を鑑み、紐靴の甲被部をワンタッチで緊締ならびに開放することができる靴紐緊締ストラップとそれを備えた紐靴の提供を図ることを課題とする。
【課題を解決するための手段】
【００１５】
本発明における靴紐緊締ストラップは、上記課題を解決するためになされるもので、紐靴の紐通し長穴に挿通させて甲被部を緊締する靴紐緊締ストラップであって、前記靴紐緊締ストラップは、柔軟な板状部材で形成されると共に、紐靴の甲被部の内端縁部に沿って列設される各段左右一対の紐通し長穴に挿通可とする長さ寸法と幅寸法を有するストラップ本体の一端には、幅寸法を強制的に挿通可とする外方向に延設する係合部に係合突起を設けると共に、該他端には、前記紐靴の紐通し長穴に挿通不可とする幅寸法を有する紐穴ストッパー部を形成し、前記ストラップ本体の長手方向には前記係合突起が嵌め込まれる係合穴を直線状に複数穿設し、該ストラップ本体の両端が上向き且つ、内向きになるように湾曲した形状記憶状態に成形して成り、前記紐靴の各段左右一対の紐通し長穴に前記ストラップ本体の一端に設けられた前記係合部を強制的に挿通させて前記紐穴ストッパー部で挿通不可として穴止めした状態で、前記ストラップ本体を折り返して前記係合突起を前記係合穴に掛け渡して係合固定ならびに係合解除することによって、前記紐靴の甲被部をワンタッチで緊締ならびに開放することができる手段を採る。
【００１６】
また本発明における靴紐緊締ストラップは、前記ストラップ本体の他端に形成される紐穴ストッパー部に替わって、紐靴の紐通し長穴に強制的に挿通可とする係合突起を設けた前記係合部を外方向に延設して形成した手段を採る。
【００１７】
また本発明における靴紐緊締ストラップは、前記ストラップ本体の前記係合突起が突出する方向と反対側の面に長手方向に対して直交する切り欠き線を複数設けた手段を採る。
【００１８】
また本発明における靴紐緊締ストラップは、前記係合突起を設けた係合部に前記ストラップ本体の幅方向の端面を両側から抱え込んで係止するオーバーハングフック部を設けた手段を採る。
【００１９】
また本発明における靴紐緊締ストラップは、前記ストラップ本体の幅寸法と、前記係合部の幅寸法と、前記紐穴ストッパー部の幅寸法と、が、紐靴の紐通し丸穴の穴寸法に合わせて幅狭に形成した手段を採る。
【００２０】
また本発明における靴紐緊締ストラップとそれを備えた紐靴は、紐靴の甲被部の内端縁部に沿って列設される各段左右一対の紐通し長穴に前記請求項１〜請求項４の何れか記載の靴紐緊締ストラップを備えた手段を採る。
【００２１】
また本発明における靴紐緊締ストラップとそれを備えた紐靴は、紐靴の甲被部の内端縁部に沿って列設される各段左右一対の紐通し丸穴に前記請求項５記載の靴紐緊締ストラップを備えた手段を採る。
【発明の効果】
【００２２】
本発明の靴紐緊締ストラップによれば、緊締手段が板状のストラップ本体と、係合部による極めて簡易的な構造で構成されているため、紐靴の履脱が片手でもってワンタッチでできると共に、それらに設けられる係合突起ならびに係合穴によって緊締ならびに開放行為が確実且つ容易に行えるといった優れた効果を奏する。
【００２３】
また本発明の靴紐緊締ストラップによれば、緊締構造が可動機構がない一体成形品であることによって、故障しない、ゴミがたまらない、清掃が簡単であると共に、形状が簡易、軽量である、製造単価が廉価、交換が容易といった多様な長所を有するといった優れた効果を奏する。
【００２４】
また本発明の靴紐緊締ストラップによれば、ストラップ本体の両端に幅寸法を強制的に挿通可とする係合部ならび幅寸法を挿通不可とする紐穴ストッパー部が形成されていることから、紐靴の甲被部が開放された状態であっても紐靴の紐通し長穴間において脱落しない状態が維持されるといった優れた効果を奏する。
【００２５】
また本発明の靴紐緊締ストラップによれば、ストラップ本体の一端に設けられている係合部の先端が緊締時には常時内向きに収まっていることから、安全性が確保できると共に、使用時はその先端部を指で摘むことによって容易に履脱ならびに緊締力を調節することができるといった優れた効果を奏する。
【００２６】
また本発明の靴紐緊締ストラップによれば、係合突起を突設した係合部にストラップ本体の幅方向の端面を両側から抱え込んで係止するオーバーハングフック部を設けた手段を採用していることによって、紐靴から緊締ストラップが外れたり、緊締力が弱まったりしないといった優れた効果を奏する。
【００２７】
また本発明の靴紐緊締ストラップによれば、ストラップ本体の他端に形成される紐穴ストッパー部に替わって、紐靴の紐通し長穴に強制的に挿通可とする係合突起を設けた前記係合部を外方向に延設して形成していることによって、紐靴の左側甲被部と右側甲被部を個別に緊締することができるため、足の形状が違っていても紐靴の甲被部が足の甲に確実にフィットすると共に、装着時の左右のバランスが良いといった優れた効果を奏する。
【００２８】
また本発明の靴紐緊締ストラップによれば、製造メーカーにおいては新規の紐靴の販売と同時に使用者の好みに合わせて多様の形態の緊締ストラップを販売することができると共に、紐通し丸穴用の靴紐緊締ストラップを別売りすることによって、紐通し穴が丸型の紐靴にも装着できるといった優れた効果を奏する。
【図面の簡単な説明】
【００２９】
【図１】本発明における請求項１記載の靴紐緊締ストラップの実施形態を示す説明図である。（実施例１）
【図２】本発明における請求項１記載の靴紐緊締ストラップの別の実施形態を示す説明図である。
【図３】本発明における請求項２記載の靴紐緊締ストラップの実施形態を示す説明図である。（実施例２）
【図４】本発明における請求項３記載の靴紐緊締ストラップの実施形態を示す説明図である。（実施例３）
【図５】本発明における請求項４記載の靴紐緊締ストラップの実施形態を示す説明図である。（実施例４）
【図６】本発明における請求項５記載の靴紐緊締ストラップの実施形態を示す説明図である。（実施例５）
【図７】本発明における請求項６記載の靴紐緊締ストラップとそれを備えた紐靴の実施形態を示す説明図である。（実施例６）
【図８】本発明における請求項７記載の靴紐緊締ストラップとそれを備えた紐靴の実施形態を示す説明図である。（実施例７）
【発明を実施するための形態】
【００３０】
本発明における靴紐緊締ストラップ１０は、紐靴２０の紐通し長穴２１に挿通させて甲被部２３を緊締する靴紐緊締ストラップ１０であって、該靴紐緊締ストラップ１０は、柔軟な板状部材で形成されると共に、紐靴２０の甲被部２３の内端縁部に沿って列設される各段左右一対の紐通し長穴２１に挿通可とする長さ寸法Ｌと幅寸法Ｔを有するストラップ本体１１の一端には、幅寸法Ｔ1を強制的に挿通可とする外方向に延設する係合部１２に係合突起１３を設けると共に、該他端には紐靴２０の紐通し長穴２１に挿通不可とする幅寸法Ｔ2を有する紐穴ストッパー部１６を形成し、該ストラップ本体１１の長手方向には係合突起１３が嵌め込まれる係合穴１４を直線状に複数穿設し、該ストラップ本体１１の両端が上向き且つ、内向きになるように湾曲した形状記憶状態に成形して成り、紐靴２０の各段左右一対の紐通し長穴２１にストラップ本体１１の一端に設けられた係合部１２を強制的に挿通させて紐穴ストッパー部１６で挿通不可として穴止めした状態で、ストラップ本体１１を折り返して係合突起１３を係合穴１４に掛け渡して係合固定ならびに係合解除することによって、紐靴２０の甲被部２３をワンタッチで緊締ならびに開放することができる手段を採ったことを最大の特徴とする。以下、本発明にかかる靴紐緊締ストラップ１０の実施形態を、図面を基に説明する。
【００３１】
なお、本発明における靴紐緊締ストラップ１０は、以下に述べる実施例に特に限定されるものではなく、本発明の技術的思想の範囲内、すなわち同一の作用効果を発揮できる形状及び寸法ならびに材質の範囲内で適宜変更することができる。
【実施例１】
【００３２】
図１は、本発明における請求項１記載の靴紐緊締ストラップの実施形態を示す説明図である。
図１（a）は靴紐緊締ストラップ１０の全体斜視図を示し、図１（b）は靴紐緊締ストラップ１０の全体平面図を示し、図１（c）は靴紐緊締ストラップ１０を側方から見た使用状態図を示し、図１（d）は靴紐緊締ストラップ１０を上方から見た使用状態図を示す。
本発明における靴紐緊締ストラップ１０は、紐靴２０の紐通し長穴２１に挿通させて甲被部２３を緊締する靴紐緊締ストラップ１０であって、該靴紐緊締ストラップ１０は、柔軟な板状部材で形成されると共に、紐靴２０の甲被部２３の内端縁部に沿って列設される各段左右一対の紐通し長穴２１に挿通可とする長さ寸法Ｌと幅寸法Ｔを有するストラップ本体１１の一端には、幅寸法Ｔ1を強制的に挿通可とする外方向に延設する係合部１２に係合突起１３を設けると共に、該他端には紐靴２０の紐通し長穴２１に挿通不可とする幅寸法Ｔ2を有する紐穴ストッパー部１６を形成し、該ストラップ本体１１の長手方向には係合突起１３が嵌め込まれる係合穴１４を直線状に複数穿設し、該ストラップ本体１１の両端が上向き且つ、内向きになるように湾曲した形状記憶状態に成形して形成される。該靴紐緊締ストラップ１０の具体的な寸法としては、例えば、長さ寸法Ｌは１００〜１５０ｍｍ、幅寸法Ｔは１８ｍｍ、厚み寸法は略１．５ｍｍ、係合部１２の幅寸法Ｔ1は２０ｍｍ、紐穴ストッパー部１６の幅寸法Ｔ2は２２ｍｍ、紐靴２０の紐通し長穴２１の大きさは２０ｍｍで形成される。販売時においては、何種類かの全体の長さ寸法Ｌの異なるストラップ本体１１を紐靴２０の各段左右一対の紐通し長穴２１の数量分を用意し、セット販売される形態を採る。
【００３３】
ストラップ本体１１は、紐靴２０の甲被部２３の内端縁部に沿って列設される各段左右一対の紐通し長穴２１に挿通可とする長さ寸法Ｌと幅寸法Ｔを有して形成され、合成樹脂や、ゴム材などの柔軟性を有する板状部材で形成されるもので、一端には、幅寸法Ｔ1を強制的に挿通可とする外方向に延設する係合部１２に係合突起１３を設けると共に、該他端には紐靴２０の紐通し長穴２１に挿通不可とする幅寸法Ｔ2を有する紐穴ストッパー部１６を形成し、該長手方向には係合突起１３が嵌め込まれる係合穴１４を直線状に複数穿設し、該ストラップ本体１１の両端が上向き且つ、内向きになるように湾曲した形状記憶状態に成形して形成される。
また、ストラップ本体１１は、係合部１２や紐穴ストッパー部１６を分離して嵌め合い構造や、接着剤、オーバーハングフック機能などの何れかの手段によって再び組み合わせすることができる仕様とすることも考えられる。
【００３４】
係合部１２は、ストラップ本体１１の一端に幅寸法Ｔ1を強制的に挿通可とする外方向に延設すると共に係合突起１３を形成して成るもので、ストラップ本体１１に対して幅寸法Ｔ1を強制的に挿通可とすることによって紐通し長穴２１よりの脱落防止が図れるため、紐靴２０の甲被部２３が開放された状態であっても靴紐緊締ストラップ１０が常に紐靴２０の紐通し長穴２１間において脱落しない状態が維持される。また、緊締ならびに開放する際の取っ手となる部分で掴みやすい上、折り返されて内向きに収納されることから安全性が確保される形状に形成される。
【００３５】
係合突起１３は、ストラップ本体１１の一端の係合部１２に複数設けられるもので、ストラップ本体１１の長手方向に直線状に複数穿設されている係合穴１４に嵌め込まれて係合される形状に形成される。
【００３６】
係合穴１４は、折り返されたストラップ本体１１の一端に形成された係合部１２の係合突起１３が嵌め込むことができる領域内において長手方向に直線状に複数穿設されるもので、使用時の緊締状態に合わせてその穴位置が任意に選択されて嵌め込まれる。
【００３７】
紐穴ストッパー部１６は、ストラップ本体１１の他端に紐靴２０の紐通し長穴２１に挿通不可とする幅寸法Ｔ2を有して穴止めされる形状に形成されるもので、ストラップ本体１１の一端に形成された係合部１２と共に設けられることによって、靴緊締ストラップ１０が靴紐２０の紐通し穴２２に装着された状態であっても脱落しない状態が維持される。尚、紐穴ストッパー部１６の形状は、挿通不可とする幅寸法Ｔ2を有して穴止めされる形状であれば板状であることを特定するものではなく立体的な膨らみを持った形状であっても構わない。
【００３８】
紐靴２０の紐通し長穴２１は、紐靴２０の長穴状の紐通し穴であって、その紐通し長穴２１の形状に合わせて挿入できるように本発明の靴紐緊締ストラップ１０のストラップ本体１１と係合部１２と紐穴ストッパー部１６とを板状にすることによって緊締状態を安定的なものとしている。
【００３９】
本発明における靴紐緊締ストラップ１０の《緊締ならびに解除する手順》を下記に示す。
（1）紐靴２０の各段左右一対の紐通し長穴２１にストラップ本体１１の一端に設けられた係合部１２を強制的に挿通させると同時に、紐穴ストッパー部１６で挿通不可として穴止めした状態とする。
（2）ストラップ本体１１の係合部１２側を指で摘んで折り返す。
（3）係合突起１３を係合穴１４に嵌め込んでストラップ本体１１を掛け渡して係合固定する。
（4）ストラップ本体１１の係合部１２側を指で摘んで係合突起１３を係合穴１４から取り外し、係合状態を解除する。
以上の緊締・解除作業によって、ストラップ本体１１が二重に重なって短くなることで足先付近の甲被開口部２４の緊締ならびに解除操作をコンパクト且つ、効率的に行うことができる。（図ｃ参照）
【００４０】
上記で構成される靴紐緊締ストラップ１０は、緊締手段が板状のストラップ本体１１と、係合部１２による極めて簡易的な構造で構成されているため、紐靴２０の履脱行為が片手でもってワンタッチでできると共に、係合突起１３ならびに係合穴１４によって緊締ならびに開放行為が確実に行える。また、緊締構造が可動機構がない一体成形品であることから、故障しない、ゴミがたまらない、清掃が簡単であると共に、形状が簡易、軽量である、製造単価が廉価、交換が容易といった多様な効果が得られ、さらにストラップ本体１１の両端に幅寸法Ｔ1を強制的に挿通不可とした係合部１２と、幅寸法Ｔ2を挿通不可とした紐穴ストッパー部１６が形成されていることによって、紐靴２０の甲被部２３が開放された状態であっても靴紐緊締ストラップ１０が常に紐靴２０の紐通し長穴２１間において脱落しない状態が維持されるといった従来にない形状ならびに構造を有し、さらにまた、ストラップ本体１１の一端に設けられている係合部１２の先端が緊締時には折り返されて内向きに収まる構造から安全性が確保されると共に、紐靴２０の舌片を延長して足先方向に折り返すことによって、甲被開口部２４全体を覆うデザインカバーとして外観デザイン性を備える仕様とすることもできる。
【００４１】
図２は、本発明における請求項１記載の靴紐緊締ストラップの別の実施形態を示す説明図である。
図２（a）は靴紐緊締ストラップ１０の全体斜視図を示し、図２（b）は靴紐緊締ストラップ１０の全体平面図を示し、図２（c）は靴紐緊締ストラップ１０を側方から見た使用状態図を示し、図２（d）は靴紐緊締ストラップ１０を上方から見た使用状態図を示す。
ストラップ本体１１の一端に設けられている係合部１２を靴紐２０の靴通し長穴２１に強制的に挿通して折り返し、係合部１２の係合突起１３と係合穴１４を目的の緊締具合に合わせて嵌め合わせることによって、紐靴２０の甲被開口部２４を内側方向に狭めて緊締することができる。
【００４２】
また、係合部１２の係合突起１３と係合穴１４の位置をずらして目的の緊締具合に合わせて嵌め合わせることによって、さらに紐靴２０の甲被開口部２４を内側方向に狭めて緊締することができる。
【００４３】
ストラップ本体１１の一端に設けられている係合部１２の係合突起１３と係合穴１４の嵌め合いを解除することによって、紐靴２０の甲被部２３が解放されて靴脱ぎならびに靴履き行為が容易に行うことができる。また、紐靴２０の甲被部２３が解放された状態であっても靴紐緊締ストラップ１０が靴紐２０の靴通し長穴２１から脱落しない状態が維持されるため、紐靴２０の甲被部２３をワンタッチで緊締ならびに開放することができる。
【００４４】
本発明における靴紐緊締ストラップ１０の《緊締ならびに解除する手順》を下記に示す。
（1）紐靴２０の各段左右一対の紐通し長穴２１にストラップ本体１１の一端に設けられた係合部１２を強制的に挿通させると同時に、紐穴ストッパー部１６で挿通不可として穴止めした状態とする。
（2）ストラップ本体１１の係合部１２を指で摘んでストラップ本体１１を片寄せした状態で係合部１２側を折り返す。
（3）係合突起１３をストラップ本体１１の係合穴１４に嵌め込んで係合固定する。
（4）ストラップ本体１１の係合部１２側を指で摘んで係合突起１３をストラップ本体１１の係合穴１４から取り外し、係合状態を解除する。
以上の緊締・解除作業は、ストラップ本体１１が二重の状態から一重になって延長されることで甲被開口部２４の足首部付近の緊締ならびに開放操作を効率的に行うことができる。
【００４５】
上記で構成される靴紐緊締ストラップ１０は、紐靴２０の甲被開口部２４が大きく開閉される足首に近い方の紐靴２０の紐通し長穴２１に取り付けることによって、紐靴２０の履脱行為を容易なものとすることができる。
【実施例２】
【００４６】
図３は、本発明における請求項２記載の靴紐緊締ストラップの実施形態を示す説明図である。
図３（a）は靴紐緊締ストラップ１０の全体斜視図を示し、図３（b）は靴紐緊締ストラップ１０の全体平面図を示し、図３（c）は靴紐緊締ストラップ１０を側方から見た使用状態図を示し、図３（d）は靴紐緊締ストラップ１０を上方から見た使用状態図を示す。
本発明における靴紐緊締ストラップ１０は、ストラップ本体１１の他端に形成される紐穴ストッパー部１６に替わって、紐靴２０の紐通し長穴２１に強制的に挿通可とする係合突起１３を設けた係合部１２を外方向に延設して形成される。該靴紐緊締ストラップ１０の具体的な寸法としては、例えば、長さ寸法Ｌは１００〜１５０ｍｍ、幅寸法Ｔは１８ｍｍ、厚み寸法は略１．５ｍｍ、係合部１２の幅寸法Ｔ1は２０ｍｍ、紐靴２０の紐通し長穴２１の大きさは２０ｍｍで形成される。
【００４７】
上記で構成される靴紐緊締ストラップ１０は、ストラップ本体１１の他端に形成される紐穴ストッパー部１６に替わって、紐靴２０の紐通し長穴２１に強制的に挿通可とする係合突起１３を設けた係合部１２を外方向に延設して形成することによって、紐靴２０の左側甲被部２３と右側甲被部２３を各段左右一対の紐通し長穴２１毎に別個に緊締することができるため、使用する足の形状が違っていても紐靴２０の甲被部２３が確実に足の甲にフィットすると共に、装着状態が左右対称な緊締ストラップ１０となるため外観的な美観性を有する共に、使用する人が望む紐靴２０の甲被部２３の緊締力を左右別々に自在に調節することができる。
【実施例３】
【００４８】
図４は、本発明における請求項３記載の靴紐緊締ストラップの実施形態を示す説明図である。
図４（a）は靴紐緊締ストラップ１０の全体平面図を示し、図４（b）は靴紐緊締ストラップ１０を側方から見た拡大側面図を示す。
本発明における靴紐緊締ストラップ１０は、ストラップ本体１１の係合突起１３が突出する方向と反対側の面に長手方向に対して直交する切り欠き線１５をストラップ本体１１の湾曲部に相当する領域に複数設けて形成される。
【００４９】
切り欠き線１５は、ストラップ本体１１の係合部１２の係合突起１３が突出する方向と反対側の面に長手方向に対して直交して設けられるもので、靴紐２０の紐通し長穴２１より折り返される際に折り返し半径を小さくするとともに、折り返し行為を容易にする目的で設けられる。
【００５０】
上記で構成される靴紐緊締ストラップ１０は、紐靴２０の紐通し長穴２１より折り返される際に折り返し半径を小さくすると共に、折り返し行為を容易にすることによって、靴紐緊締ストラップ１０がコンパクトに紐靴２０に装着されると共に、靴紐緊締ストラップ１０が紐靴２０の紐通し長穴２１に安定的に係合される。
【実施例４】
【００５１】
図５は、本発明における請求項４記載の靴紐緊締ストラップの実施形態を示す説明図である。
図５（a）は靴紐緊締ストラップ１０の全体平面図を示す。
本発明における靴紐緊締ストラップ１０は、係合突起１３を設けた係合部１２にストラップ本体１１の幅方向の端面を両側から抱え込んで係止するオーバーハングフック部１７を設けて形成される。
【００５２】
オーバーハングフック部１７は、ストラップ本体１１の幅方向の端面を両側から抱え込む復元性を有するフック部で形成され、嵌め込みの際は、単にフック部をストラップ本体１１の幅方向の端面に当接させて押し込むことで嵌め込むことができ、解除する際は、フック部または係合部１２を指で摘んで引き離すことによって簡単に解除することができる。
【００５３】
本発明における靴紐緊締ストラップ１０の《緊締ならびに解除する手順》を図５（ｂ）〜図５（e）に示す。
下記に示す。
（1）オーバーハングフック部１７が設けられた係合部１２をストラップ本体１１の係合穴１４の上方に位置させる。（図ｂ参照）
（2）係合部１２の係合突起１３をストラップ本体１１の係合穴１４に嵌め込むと同時に、ストラップ本体１１の幅方向の端面を両側から当接した状態にする。（図ｃ参照）
（3）当接した状態から係合部１２をさらに押し込むことで、オーバーハングフック部１７のフック部が弾性によって変形し、ストラップ本体１１の幅方向の端面を両側から抱き込んで係合される。（図ｄ参照）
（4）ストラップ本体１１の係合部１２ならびにオーバーハングフック部１７のフック部を指で摘んで引き上げて係合状態を解除する。（図e参照）
【００５４】
上記で構成される靴紐緊締ストラップ１０は、ストラップ本体１１の幅方向の端面を係合突起１３を設けた係合部１２に設けられたオーバーハングフック部１７によって両側から抱え込んで係合するもので、係合突起1３と係合穴１４による嵌め込みと、オーバーハングフック部１７による抱きかかえ効果の二重の係止効果によって紐靴２０の緊締効果が確実且つ安定的に維持される。
【実施例５】
【００５５】
図６は、本発明における請求項５記載の靴紐緊締ストラップの実施形態を示す説明図である。
図６（a）は靴紐緊締ストラップ１０の全体斜視図を示し、図６（b）は靴紐緊締ストラップ１０の全体平面図を示し、図６（c）は靴紐緊締ストラップ１０を側方から見た使用状態図を示し、図６（d）は靴紐緊締ストラップ１０を上方から見た使用状態図を示す。
本発明の靴紐緊締ストラップ１０は、ストラップ本体１１の幅寸法Ｔと、係合部１２の幅寸法Ｔ1と、紐穴ストッパー部１６の幅寸法Ｔ2が、紐靴２０の紐通し丸穴２２の丸穴の穴寸法に合わせて幅狭に形成されると共に、各角面がＲ状に小面取りされて形成される。該靴紐緊締ストラップ１０の具体的な寸法としては、例えば、長さ寸法Ｌは１００〜１５０ｍｍ、幅寸法Ｔは４．５ｍｍ、厚み寸法は略１．５ｍｍ、係合部１２の幅寸法Ｔ1は５．５ｍｍ、紐穴ストッパー部１６の幅寸法Ｔ2は７．５ｍｍ、紐靴２０の紐通し丸穴２２の大きさは５．５ｍｍで形成される。
【００５６】
紐靴２０の紐通し丸穴２２は、紐靴２０の紐通し穴の形状であって、その紐通し丸穴２２の形状に挿入できるように、紐靴２０の紐通し長穴２１の靴紐緊締ストラップ１０の幅寸法Ｔと比較してストラップ本体１１の幅寸法Ｔと係合部１２の幅寸法Ｔ1と紐穴ストッパー部１６の幅寸法Ｔ2を幅狭く形成している。
【００５７】
上記で構成される靴紐緊締ストラップ１０は、紐靴２０の紐通し丸穴２２に挿通することができる緊締ストラップであって、その紐通し丸穴２２の形状に挿入できるように本発明の靴紐緊締ストラップ１０のストラップ本体１１の幅寸法Ｔと係合部１２の幅寸法Ｔ1と紐穴ストッパー部１６の幅寸法Ｔ2を幅狭く形成することによって、紐靴２０の紐通し丸穴２２に装着して利用することができる。
【実施例６】
【００５８】
図７は、本発明における請求項６記載の靴紐緊締ストラップとそれを備えた紐靴の実施形態を示す説明図である。
本発明の靴紐緊締ストラップ１０とそれを備えた紐靴２０は、紐靴２０の甲被部２３の内端縁部に沿って列設される各段左右一対の紐通し長穴２１に請求項１〜請求項４の何れか記載の靴紐緊締ストラップ１０を備えて形成されるもので、紐通し穴を長穴形状とすることで、従来にない紐靴２０の甲被部２３をワンタッチで緊締ならびに開放することができる靴紐緊締ストラップ１０とそれを備えた紐靴２０の提供が図られる。
【実施例７】
【００５９】
図８は、本発明における請求項７記載の靴紐緊締ストラップとそれを備えた紐靴の実施形態を示す説明図である。
本発明の靴紐緊締ストラップ１０とそれを備えた紐靴２０は、紐靴２０の甲被部２３の内端縁部に沿って列設される各段左右一対の紐通し丸穴２２に請求項５記載の靴紐緊締ストラップ１０を備えて形成されるもので、紐通し穴を丸穴形状として幅寸法Ｔを幅狭とすることで、従来にない紐靴２０の甲被部２３をワンタッチで緊締ならびに開放することができる靴紐緊締ストラップ１０とそれを備えた紐靴２０の提供が図られる。
【産業上の利用可能性】
【００６０】
本発明における靴紐緊締ストラップとそれを備えた紐靴は、競技用シューズやジョギングシューズなどのスポーツシューズに限定されず、スニーカー、ゴルフ靴、子供靴、革靴、ブーツ、登山靴、お洒落靴などあらゆる紐靴の緊締手段として幅広く利用することができるもので、本発明における「靴紐緊締ストラップとそれを備えた紐靴」の産業上の利用可能性は極めて大であるものと解する。
【符号の説明】
【００６１】
１０  靴紐緊締ストラップ
１１  ストラップ本体
１２  係合部
１３  係合突起
１４  係合穴
１５  切り欠き線
１６  紐穴ストッパー部
１７  オーバーハングフック部
２０  紐靴
２１  紐通し長穴
２２  紐通し丸穴
２３  甲被部
２４  甲被開口部
Ｌ   長さ寸法
Ｔ   幅寸法（ストラップ本体）
Ｔ1  幅寸法（係合部）
Ｔ2  幅寸法（紐穴ストッパー部）
【要約】      （修正有）【課題】紐靴の甲被部をワンタッチで緊締ならびに開放することができる靴紐緊締ストラップとそれを備えた紐靴を提供する。【解決手段】靴紐緊締ストラップ１０は、紐靴の紐通し長穴２１に挿通させて甲被部２３を緊締する靴紐緊締ストラップ１０であって、柔軟な板状部材で形成されると共に、紐靴の甲被部２３の内端縁部に沿って列設される各段左右一対の紐通し長穴２１に挿通可とする長さ寸法と幅寸法を有するストラップ本体１１の一端には、幅寸法を強制的に挿通可とする外方向に延設する係合部１２に係合突起１３を設けると共に、他端には、紐靴の紐通し長穴２１に挿通不可とする幅寸法を有する紐穴ストッパー部１６を形成し、ストラップ本体１１の長手方向には係合突起１３が嵌め込まれる係合穴１４を直線状に複数穿設し、ストラップ本体１１の両端が上向き且つ、内向きになるように湾曲した形状記憶状態に成形する。【選択図】図１【図１】
0005782665.tif 000002
【図２】
0005782665.tif 000003
【図３】
0005782665.tif 000004
【図４】
0005782665.tif 000005
【図５】
0005782665.tif 000006
【図６】
0005782665.tif 000007
【図７】
0005782665.tif 000008
【図８】
0005782665.tif 000009